(57)【要約】【課題】、春夏秋冬、梅雨時、雨の日、晴れの日等の一年を通して各建物において生じる気象の変化に対応し、快適な住環境および適切な植栽の育成管理ができる住宅用気象通報装置および住宅用機器の制御システムを提供する。【解決手段】屋外に設置した気象計１０と、建屋１内に配置され、気象計１０で取得した気象情報を表示する表示器１５と、気象計１０が取得した気象情報を表示器１５に送信する通信手段１２，１３と、を有し、気象計１０として、降雨センサ２１、風向風速センサ２２、ＣＯ２センサ２３、紫外線センサ２４、気温センサ２５、湿度センサ２６、気圧センサ２７、日照センサ２８ａ、日射センサ２８ｂを設けた。【選択図】図１
2014173971.tif 000002
【特許請求の範囲】
【請求項１】
屋外に設置した気象計と、
建屋内に配置され、前記気象計で取得した気象情報を表示する表示器と、
前記気象計が取得した気象情報を前記表示器に送信する通信手段と、
を有することを特徴とする住宅用気象通報装置。
【請求項２】
前記気象計は、雨が降り始めたことをリアルタイムに感知する感雨感知手段と、風向風速をリアルタイムに感知する風向風速感知手段、屋外外気における二酸化炭素濃度をリアルタイムに感知する二酸化炭素感知手段、紫外線量をリアルタイムに感知する紫外線感知手段、気温をリアルタイムに感知する気温感知手段、湿度をリアルタイムに感知する湿度感知手段、気圧をリアルタイムに感知する気圧感知手段、照度をリアルタイムに感知する日照感知手段、日射をリアルタイムに感知する日射感知手段との中で、１または複数の感知手段を有し、少なくとも前記感雨感知手段を有することを特徴とする請求項１に記載の住宅用気象通報装置。
【請求項３】
前記感知手段で感知した情報を一定時間保持する保持手段と、前記保持手段で保持した気象情報を時系列にフォーマットを整えて出力する出力手段と、を有することを特徴とする請求項２に記載の住宅用気象通報装置。
【請求項４】
前記気象計は、取得した情報を音声情報として無線で送信する無線送信手段を有することを特徴とする請求項１から３のいずれかに記載の住宅用気象通報装置。
【請求項５】
請求項１から４のいずれかに記載の住宅用気象通報装置と、
建屋内に設けられた設備機器と、
前記住宅用気象通報装置が取得した気象情報に基づいて、前記設備機器を制御する設備制御手段と、
を有することを特徴とする住宅用機器の制御システム。
【請求項６】
屋外に設けた灌水手段をさらに有し、前記設備制御手段により前記灌水手段を制御することを特徴とする請求項５に記載の住宅用機器の制御システム。
【請求項７】
建屋内には、前記住宅用気象通報装置が取得した気象情報を音声情報として出力する屋内スピーカを有することを特徴とする請求項５または６に記載の住宅用機器の制御システム。
【発明の詳細な説明】
【技術分野】
【０００１】
本発明は、個々の住宅における気象環境を検知し、検知した気象環境をその住宅に通報し、住宅用機器を制御する技術に関する。
【背景技術】
【０００２】
従来の気象計としては、例えばお天気センサと称され、気圧センサ、温度センサ、湿度センサを一体に配置したものが提案され、現時点の天気をリアルタイムに提供する。この気象計は、個々の住宅内に配置され、ディスプレイに表示された天候が時間によって移り変わり、風景部の装飾性が高く部屋のインテリアとして部屋に居ながら外の天候変化が分かると共に見る人々の心を和ませる空間を演出できるものである（特許文献１）。
【０００３】
また、インターネットを介して気象情報サイトから気象予報データを取得し、空気調和設備、照明器具、家電機器を制御する宅内環境システムが提案されている（特許文献２）。
【０００４】
しかし、気象情報サイトから取得する気象予報データは、住宅が存在する地域のデータであり、実際にその住宅における気象情報ではない。
【０００５】
一方、前記お天気センサは各住宅に設置されるものであるが、建物内で取得した情報に基づくため、必ずしも建物が立つ場所での実際の気象状態を反映したものではない。
【０００６】
すなわち、住宅家屋においては、様々な気象現象が生活環境に影響を及ぼすことがある。例えば、雨が降ると窓が空いている部屋に雨が吹き込むことや、雨天、晴天が続いた場合には花壇や植木に与える水量の判断が困難となり判断の遅延により枯らしたり、腐らせたりする。
【０００７】
また、屋内にお天気センサを設置した場合、部屋ごとに日照状態が異なるため、部屋ごとにお天気センサを配置し、例えば部屋の照明装置の日照等を調整する必要がある。
【０００８】
さらに、高層ビルや山岳の麓付近で強い風が発生する、いわゆるビル風やおろし風のような立地条件に伴う固有気象が多く見受けられ、マスコミや気象サイト等による気象情報との相違がある。また、オゾン層破壊などの地球環境の変化により、紫外線量や温暖化に伴う二酸化炭素量の増加から、人体やエコロジー配慮への影響が強くなっている。
【０００９】
このため、これらの気象現象が取り巻く住宅家屋において、特許文献１の気象計の利用は十分に対応できるものではなく、快適な住宅環境を実現するための機能と効果を有さない。
【先行技術文献】
【特許文献】
【００１０】
【特許文献１】特開平６−１６７５７７号公報
【特許文献２】特開２００３−０２０４０３号公報
【発明の概要】
【発明が解決しようとする課題】
【００１１】
本発明の目的は、春夏秋冬、梅雨時、雨の日、晴れの日等の一年を通して各建物において生じる気象の変化に対応し、快適な住環境および適切な植栽の育成管理ができる住宅用気象通報装置および住宅用機器の制御システムを提供することにある。
【課題を解決するための手段】
【００１２】
本発明の課題を解決する住宅用気象通報装置は、屋外に設置した気象計と、建屋内に配置され、前記気象計で取得した気象情報を表示する表示器と、前記気象計が取得した気象情報を前記表示器に送信する通信手段と、を有することを特徴とする。
【００１３】
本発明の課題を解決する住宅用機器の制御システムは、例えば上記構成の住宅用気象通報装置と、建屋内に設けられた設備機器と、前記住宅用気象通報装置が取得した気象情報に基づいて、前記設備機器を制御する設備制御手段と、を有することを特徴とする。
【発明の効果】
【００１４】
本発明によれば、様々な気象情報が迅速に居住者を伝える事ができ、快適な生活環境を迅速に設定することができる。例えば、雨が降り始めた場合、即座に居住者が気付き窓を閉めることが可能となる。また、庭の花壇及び植木の散水を停止し、反対に晴れが続いた場合には記録された気象情報から適量の水を与えることが可能となる。部屋の日照が暗くなる曇天時には、日照補強を容易に行うことができるようになる。更に、ビル風やおろし風のような立地条件固有の気象情報を感知し、マスコミの提供する気象情報に付加価値のある追加情報が得られる。
【００１５】
さらには、温度感知手段、湿度感知手段、気圧感知手段を更に追加することにより、一年を通して寒冷地では早めの暖房、温暖地では早めの冷房というような屋内温度コントロールが容易にできることは言うまでもない。
【図面の簡単な説明】
【００１６】
【図１】本発明による住宅用機器の制御システムの実施形態を示す概略図。
【図２】図１の気象計の構成を示す図。
【発明を実施するための形態】
【００１７】
以下、本発明を図面に示す実施形態に基づいて説明する。
【００１８】
図１は本発明による住宅用機器の制御システムの実施形態を示す概略図、図２は図１の気象計の構成を示す図である。
【００１９】
先ず、気象計の構成を図２を参照して説明する。
【００２０】
気象計１０は、雨が降り始めたことをリアルタイムに感知する感雨感知手段としての感雨センサ２１、風向風速をリアルタイムに感知する風向風速感知手段としての風向風速センサ２２、屋外外気における二酸化炭素濃度をリアルタイムに感知する二酸化炭素感知手段としてのＣＯ２センサ２３、紫外線量をリアルタイムに感知する紫外線感知手段としての紫外線センサ２４、気温をリアルタイムに感知する気温感知手段としての気温センサ２５、湿度をリアルタイムに感知する湿度感知手段としての湿度センサ２６、気圧をリアルタイムに感知する気圧感知手段としての気圧センサ２７、照度をリアルタイムに感知する日照感知手段としての日照センサ２８ａ、日射をリアルタイムに感知する日射感知手段としての日射センサ２８ｂが設けられている。
【００２１】
前記各々のセンサに付属するＩ/Ｆ回路２８にて固有の入力レベルからＴＴＬ（Transistor‐transistor‐Logic）へ変換を行う。各Ｉ/Ｆ回路２８は、バス３３を介して制御回路２９に接続されている。各Ｉ/Ｆ回路２８の信号は、制御回路２９において前記各センサ（２１〜２７、２８ａ、２８ｂ）の信号を時系列で切替え、Ａ/Ｄ変換を行い、もしくは直接ＣＰＵに入力した後、メモリ３０にデータとして保持する。
【００２２】
一定時間保持されたデータは、制御回路２９のＣＰＵの指令に基づき諸演算及び読み出され、有線及び無線に対応するＬＡＮモジュール３１を介して、有線ＬＡＮもしくはアンテナ３２から無線ＬＡＮにて住宅家屋１の設備へ転送される。
【００２３】
また、本実施形態の気象計１０は住宅家屋の設備からのコマンドや応答信号も受信することを可能とし、応答信号が一定時間内に帰ってこなかった場合には複数回データを送信することができる。
【００２４】
本実施形態において、感雨センサ２１により雨が降っているか否かを検知し、風向風速センサ２２により風向と風速を検知することができる。すなわち、雨が降っている時に、風向と風速が分かれば、建物のどの向きから雨が降り込むかが判断でき、建物の雨が降り込まない向きの窓を閉める必要がない。また、風速が低い場合には、風向きに面した窓が開いていても雨が入らないといった判断ができる。
【００２５】
ＣＯ２センサ２３は住宅の庭等の周囲のＣＯ２を測定し、紫外線センサ２４は太陽からの紫外線を測定する。したがって、紫外線量が多い日やＣＯ２が多い日には屋外での作業に注意を喚起することができる。
【００２６】
気温センサ２５、湿度センサ２６は屋外の温度、湿度を測定し、屋外での作業環境が良好であるか否かの注意を喚起することができる。また、気圧センサ２７により気圧を測定し、気圧の低下あるいは上昇を検知することで晴/雨の予測を示すことができる。日照センサ２８ａ又は日射センサ２８ｂにより、曇っているか否か、日差しが強いか否かを判断することができ、窓のカーテンの開閉、照明器具の調整等を行うことができる。また、制御回路２９では、音声により気象情報をアンテナ３２から送信する。アンテナ３２からの音声情報は、屋外に設置したＩ/Ｆ付き屋外スピーカ１１に無線で送信され、気象情報を庭等の屋外に居る住人等に報知する。
【００２７】
次に、本実施形態による住宅用機器の制御システムを図１を参照して説明する。
【００２８】
図１において、住宅屋外に設置された気象計１０の計測情報は、有線ＬＡＮ１２を介してハブ（ＨＵＢ）１３に入力される。建物１の屋内には、Ｉ/Ｆ付き屋内スピーカ１４、表示器１５、設備制御盤１６等の端末機器が配置され、ハブ（ＨＵＢ）１３を介して有線ＬＡＮで接続されている。表示器１５としては、パソコン、タブレット端末、テレビ等を例示することができ、有線だけでなく、無線でも通信可能とする。
【００２９】
設備制御盤１６は、建物１の屋内に設置された窓を開閉する窓開閉駆動部２、照明器具３、空調機器４を制御し、屋外に設置した灌水装置５を制御する。
【００３０】
また、表示器１５には気象情報が表示され、必要に応じて屋内スピーカ１４により音声で報知する。この表示器１５には、降雨の有無、風向風速の情報、ＣＯ２の情報、紫外線の情報、気温情報、湿度情報、気圧情報等が数値等で表示される。
【００３１】
本実施形態の制御システムは、例えば、雨が降り始めた場合には、気象計１０の感雨センサ２１が雨滴を感知し、I/F付き屋外スピーカ１１、屋内スピーカ１４を介して即座に居住者へ雨が降り始めたことを予め用意された音声信号で伝達する。また、感雨センサ２１が雨滴を感知する時間を一定周期でカウントすることも可能とし、その回数によるおおよその降雨時間を表示器１５へ表示することを可能とする。更に、設備制御盤１６へデータを送信することにより、窓の開閉や冷暖房の管理が行えるようになる。
【００３２】
曇天もしくは雨天の場合には、気象計１０の日照センサ２８ａ又は日射センサ２８ｂにより、常時、その観測結果を表示器１５に表示する。表示方法としては、日照センサは０ｌｘ（ルックス）から１３００００ｌｘ（ルックス）まで計測可能であるが、３００００ｌｘ（ルックス）を閾値としてこれを超える日照有りの場合は、表示器１５に太陽の表示を行い、閾値を超えない日照無しの場合は前記太陽の表示に×印を追加する、もしくは雲の表示を行うことが可能である。更に、設備制御盤１６へデータを送信し照明器具３との連携により日照を補強することも可能になる。
【００３３】
風が吹いている場合には、気象計１の風向風速センサ２２により、常時、その観測結果を表示器１５に矢印にて表示を行う。その風向は住宅家屋１の気象計設置点を基準とした東西南北の方向に対する風向きを表示し、その風速はその色を緑色、黄色、赤色等の３段階に変化させ、例えば、風速5m/s以下であれば緑色、風速１０ｍ/ｓ以下であれば黄色、それ以上であれば赤色にする等して感覚的に居住者にその強度を伝達する。更に、セグメント表示等により小数点以下を含めて数値表示を行うことが可能である。
【００３４】
紫外線量については、波長が３１５ｎｍから４００ｎｍで計測したものをＵＶ−Ａ、２８０ｎｍから３１５ｎｍで計測したものをＵＶ−Ｂとし、ＵＶ−ＡとＵＶ−Ｂの加算値を紫外線量とした場合に、５Ｗ/ｍ２以下を「弱い」、１５Ｗ/ｍ２以下を「普通」、それ以上であれば「強い」というような3段階して表示器１５へ表示する等して感覚的に居住者にその強度を伝達して注意を促す、もしくは数値そのものを表示器１５へ表示することも可能である。
【００３５】
二酸化炭素量については、その大気中濃度を逐次観測し、表示器１５にその数値を表示し、居住者へ住宅家屋を取り巻く環境の温室効果について情報提供することが可能である。
【００３６】
また、灌水装置５は庭等の屋外に植栽した木や花等に灌水する灌水設備に対して水の供給と停止を行う。例えば、１年を通した適正な灌水量、季節ごとの灌水量、あるいは長雨の後の灌水停止、日照りが続いた時の灌水を行う。
【００３７】
なお、庭等の屋外に設置したＩ/Ｆ付き屋外スピーカ１１に加え、表示器１５と同様の表示器等を配置し、視覚的に住居者へ情報伝達できることは言うまでもない。
【００３８】
本実施形態によれば、建物の居住者は一日の中で生じる気象の変化を表示器１５および屋内、屋外のスピーカで知ることができ、例えば急な雨降りを即座に知ることができるので、開いていたガラス窓を閉めることができる。
【００３９】
上記した設備制御盤１６が気象計１０からの計測情報に基づいて、窓の開閉制御、照明器具の調整制御、空調機器の調整制御、灌水装置の制御等を行うことにより、一年中快適な生活が行え、また植栽の育成管理も適正に行うことができる。
【符号の説明】
【００４０】
１  建物
２  窓開閉駆動部
３  照明器具
４  空調機器
５  灌水装置
１０  気象計
２１  感雨センサ
２２  風向風速センサ
２３  ＣＯ２センサ
２４  紫外線センサ
２５気温センサ
２６  湿度センサ
２７  気圧センサ
２８ａ  日照センサ
２８ｂ  日射センサ
２９  制御回路
３０  メモリ
３１  有線/無線ＬＡＮモジュール
【図１】
2014173971.tif 000003
【図２】
2014173971.tif 000004